(57)【特許請求の範囲】
【請求項１】
建物の壁パネルを固定する部材を支持する建物の部材支持構造であって、
角形柱脚部を有し、この角形柱脚部が基礎に設けられたアンカーボルトによって固定された柱と、
時間経過で固化する性質を有する固化材であって上記角形柱脚部の周囲部に増し打ちされて固化した増し打ち経時固化材と、
上記角形柱脚部の隣り合う２面に当接する位置決め部を有し、上記増し打ち経時固化材により固定されるとともに上記部材を固定する部材固定具と、を備えることを特徴とする建物の部材支持構造。
【請求項２】
請求項１に記載の建物の部材支持構造において、上記部材は、上記増し打ち経時固化材の上面に置かれることを特徴とする建物の部材支持構造。
【請求項３】
請求項１または請求項２に記載の建物の部材支持構造において、上記部材固定具は、上記アンカーボルトに係合される係合部を有することを特徴とする建物の部材支持構造。
【請求項４】
請求項１〜請求項３のいずれか１項に記載の建物の部材支持構造において、上記部材固定具は、水平配置される板部材と、この板部材に鉛直方向に設けられて上記増し打ち経時固化材の上面から上端が突出する部材固定用アンカーボルトとを備えていることを特徴とする建物の部材支持構造。
【請求項５】
請求項４に記載の建物の部材支持構造において、上記板部材には上記部材固定用アンカーボルトを挿通できる挿通孔が形成されていることを特徴とする建物の部材支持構造。
【請求項６】
請求項５に記載の建物の部材支持構造において、上記板部材には上記挿通孔が複数形成されており、建物の異なる箇所での上記部材固定用アンカーボルトの配置に対して上記板部材が共通して使用できることを特徴とする建物の部材支持構造。
【請求項７】
請求項４〜請求項６のいずれか１項に記載の建物の部材支持構造において、上記板部材が上下に間隔をあけて２枚以上設けられることを特徴とする建物の部材支持構造。
【請求項８】
請求項４〜請求項７のいずれか１項に記載の建物の部材支持構造において、上記板部材には貫通孔が形成されていることを特徴とする建物の部材支持構造。
【発明の詳細な説明】
【技術分野】
【０００１】
この発明は、建物の柱の柱脚部付近で部材を支持する部材支持構造に関する。
【背景技術】
【０００２】
特許文献１には、柱の隣接する二つの面と当接する柱当接面と、端面当接面と、表面当接面からなる四つの当接面が連続して階段状に有する治具を利用して柱にコーナー部材を取り付ける技術が開示されている。
【０００３】
また、特許文献２には、パネルを支持する枠形状のパネル支持体が２つの分割体に分割されており、上記２つの分割体はアンカーボルトによって位置決めされるものであり、上記２つの分割体は柱脚部において組み立てられ、モルタルで埋設される構造が開示されている。
【先行技術文献】
【特許文献】
【０００４】
【特許文献１】特開２００６−３０７５２５号公報
【特許文献２】特許第３５６３４９９号公報
【発明の概要】
【発明が解決しようとする課題】
【０００５】
しかしながら、上記特許文献１に開示の技術では、上記治具がモルタル等で固定されるものではないので、上記治具を強固に設けることができない。また、特許文献２においては、上記パネル支持体が、アンカーボルトを基準に位置決めされるので、上記パネル支持体を正確に位置決めできない。また、上記パネル支持体は、それ自体でパネルの自重を受けるために高い剛性が必要となる。
【０００６】
この発明は、上記の事情に鑑み、柱の柱脚部が存在する箇所において、当該柱脚部を障害とせずに、部材を固定する部材固定具を、柱を基準に正確に位置決めしつつ強固に設けることができる建物の部材支持構造を提供することを課題とする。
【課題を解決するための手段】
【０００７】
この発明の建物の部材支持構造は、上記の課題を解決するために、角形柱脚部を有し、この角形柱脚部が基礎に設けられたアンカーボルトによって固定された柱と、上記角形柱脚部の周囲部に増し打ちされて時間経過で固化する増し打ち経時固化材と、上記角形柱脚部の隣り合う２面に当接する位置決め部を有し、上記増し打ち経時固化材により固定されるとともに部材を固定する部材固定具と、を備えることを特徴とする。
【０００８】
上記の構成であれば、上記部材固定具は、上記位置決め部によって上記角形柱脚部を基準に正確に位置決めされ、また、上記増し打ち経時固化材によって強固に固定される。そして、上記部材を上記のように正確且つ強固に設けられた上記部材固定具によって正確且つ強固に固定できることになる。
【０００９】
上記部材は、上記増し打ち経時固化材の上面に置かれてもよい。これによれば、例えば、上記部材が重量のある外壁パネルを支持する部材となる場合でも、当該部材は上記増し打ち経時固化材の上面に置かれるので、上記部材固定具自体に上記外壁パネルの重量が直接加かからないようにできる。
【００１０】
上記部材固定具は、上記アンカーボルトに係合される係合部を有していてもよい。これによれば、上記部材固定具が上記アンカーボルトに係合されることで、上記増し打ち経時固化材の打設で上記部材固定具の位置がずれるのを防止できる。
【００１１】
上記部材固定具は、水平配置される板部材と、この板部材に鉛直方向に設けられて上記増し打ち経時固化材の上面から上端が突出する部材固定用アンカーボルトとを備えていてもよい。これによれば、上記部材固定用アンカーボルトによって上記部材を固定する構造が得られる。
【００１２】
上記板部材には上記部材固定用アンカーボルトを挿通できる挿通孔が形成されていてもよい。これによれば、例えば、現場において、上記部材固定用アンカーボルトを上記挿通孔に挿通し、当該部材固定用アンカーボルトと上記板部材との位置調整等を行うことができる。
【００１３】
上記板部材には上記挿通孔が複数形成されており、建物の異なる箇所での上記部材固定用アンカーボルトの配置に対して上記板部材が共通して使用できるようにしてもよい。これによれば、部品の共通化によるコスト低減を図ることができる。
【００１４】
上記板部材が上下に間隔をあけて２枚以上設けられていてもよい。これによれば、上記部材固定具を上記増し打ち経時固化材によってより強固に固定できる。
【００１５】
上記板部材には貫通孔が形成されていてもよい。これによれば、上記板部材の下面側に上記増し打ち経時固化材の空洞部ができるのを低減することができる。また、上記増し打ち経時固化材の充填を上記貫通孔から行うといったことも可能になる。
【発明の効果】
【００１６】
本発明であれば、柱の柱脚部が存在する箇所において、当該柱脚部を障害とせずに、部材を固定する部材固定具を、柱を基準に正確に位置決めしつつ強固に設けることができ、上記部材を、上記のように正確且つ強固に設けられた上記部材固定具によって正確且つ強固に固定できるという効果を奏する。
【図面の簡単な説明】
【００１７】
【図１】同図（Ａ）は本発明の実施形態に係る建物の部材支持構造を平面視により示した概略説明図であり、同図（Ｂ）は同構造を側面視により示した概略説明図である。
【図２】本発明の実施形態に係る建物の部材支持構造を斜視により示した概略説明図である。
【図３】同図（Ａ）は本発明の実施形態に係る建物の出隅部における部材支持構造を平面視により示した概略説明図であり、同図（Ｂ）は同構造を側面視により示した概略説明図である。
【図４】同図（Ａ）は図３に示した部材支持構造で用いられている壁パネル固定具を示した平面図であり、同図（Ｂ）は上記壁パネル固定具を示した側面図である。
【図５】本発明の実施形態に係る建物の入隅部における部材支持構造を平面視により示した概略説明図である。
【発明を実施するための形態】
【００１８】
以下、この発明の実施の形態を添付図面に基づいて説明する。
図１（Ａ）、図１（Ｂ）および図２に示すように、この実施形態にかかる建物の部材支持構造１は、基礎２に設けられた柱固定用のアンカーボルト２１と、この柱固定用のアンカーボルト２１によって基礎２に固定される角柱３と、この角柱３の脚部の周囲部を埋める増し打ち経時固化材４と、上記増し打ち経時固化材４に埋設される部材固定具５とを備える。
【００１９】
上記柱固定用のアンカーボルト２１が設けられている箇所は、他の箇所よりも落ち込んで形成されている。例えば、上記他の箇所におけるグランドレベルからの高さが４００ｍｍ程度であれば、上記の落ち込んだ箇所の高さは、例えば、２５０ｍｍ或いは５０ｍｍ等とされる。落ち込みの深さが深ければ、上記増し打ち経時固化材４の打ち込み厚さが厚くされ、この増し打ち経時固化材４の上面と上記他の箇所の上面とが水平に略面一にされる。上記増し打ち経時固化材４は時間経過で固化するものであり、例えば、モルタル等からなる。
【００２０】
上記角柱３における角形柱脚部３１のベース部３１ａは、当該角柱３の本体部の四角形断面よりも大きな四角形を有しており、このベース部３１ａの各角部近傍に形成された挿通孔に、上記アンカーボルト２１の上端部が挿通されており、この上端部に取り付けられたナット３２の締め付けによって、上記角柱３が上記基礎２に固定されている。
【００２１】
上記部材固定具５は、水平配置される板部材５１と、この板部材５１に鉛直方向に設けられて上記増し打ち経時固化材４の上面から上端が突出する部材固定用アンカーボルト５２とを備えている。また、上記板部材５１には、直角に切り欠かれた位置決め部５１ａおよび上記アンカーボルト２１の上端部が挿通される挿通孔（係合部）５１ｂが形成されている。
【００２２】
上記直角に切り欠かれた位置決め部５１ａを上記角形柱脚部３１の隣り合う２面に当接させることで、上記角柱３の位置を基準に上記板部材５１を位置決めすることができる。また、このように位置決めされた状態で、上記挿通孔５１ｂ内に上記アンカーボルト２１の上端部を位置させることができる。上記挿通孔５１ｂの直径は、上記アンカーボルト２１の直径よりも大きくされた遊嵌穴となっている。また、上記挿通孔５１ｂを通った上記アンカーボルト２１の上端部には、ナット５３が螺合され、このナット５３の締め付けによって、上記部材固定具５が上記アンカーボルト２１に固定される。
【００２３】
上記板部材５１には、上記部材固定用アンカーボルト５２が挿通される挿通孔５１ｃが、上記挿通孔５１ｂの周囲となる位置に４箇所、それらを結ぶと四角形をなすような配置で形成されている。また、これら４箇所の挿通孔５１ｃにおける２箇所同士は、上記角柱３の対角線（上記挿通孔５１ｂの中心を通る）について線対称に位置するようになっている。上記のように、上記板部材５１が位置決めされると、上記挿通孔５１ｃの位置が決まり、上記部材固定用アンカーボルト５２の位置が決まることになる。
【００２４】
上記部材固定用アンカーボルト５２は上記挿通孔５１ｃの４箇所全てに設けられるものではなく、例えば２箇所に設けられる。また、上記部材固定用アンカーボルト５２には上記板部材５１の下側に位置する支持ナット５４が螺合されており、この支持ナット５４によって上記板部材５１が支持される。なお、上記板部材５１の上側に図示しないナットを螺合させ、上下２個のナットで上記板部材５１を挟んで固定するようにしてもよい。また、上記角形柱脚部３１のベース部３１ａ上に配置される部材固定用アンカーボルト５２は、上記の落ち込んだ箇所の底面上に配置される部材固定用アンカーボルト５２よりも短くされており、これら部材固定用アンカーボルト５２の上端位置が略同じ高さになっている。
【００２５】
また、上記板部材５１には、貫通孔５１ｄが上記挿通孔５１ｂの近傍の周囲位置に例えば４箇所形成されている。上記貫通孔５１ｄの形成数は４個に限定されるものではない。
【００２６】
また、建物の出隅箇所における部材支持構造１は、図３（Ａ）および図３（Ｂ）に示すような構造となり、上記部材固定具５は、上記ベース部３１ａの出隅の角側に配置される。そして、上記増し打ち経時固化材４の上面上に、部材として壁パネル固定具６が置かれており、この壁パネル固定具６は、上記部材固定具５の部材固定用アンカーボルト５２にナット締結によって固定される。そして、この壁パネル固定具６に、外壁パネル７１およびコーナーパネル７２が、ボルト・ナット等により固定される。
【００２７】
上記壁パネル固定具６は、図４（Ａ）および図４（Ｂ）に示すように、略Ｌ字状のベース板６１と、このベース板６１の外角側に溶接等により固定された横断面略Ｌ字状の立ち上げ部６２と、上記ベース板６１および上記立ち上げ部６２に溶接等により固定された補強部６３とから成る。上記ベース板６１の各端部には、上記部材固定用アンカーボルト５２の上端部が挿通される挿通孔６１ａが形成されている。また、上記立ち上げ部６２には、外壁パネル７１をボルト・ナット等で留め付けるための係合部６２ａが形成されている。上記壁パネル固定具６が上記部材固定用アンカーボルト５２に固定されることで、上記外壁パネル７１およびコーナーパネル７２が規定位置に固定されることになる。
【００２８】
図５は、建物の入隅箇所における部材支持構造１を示している。この入隅箇所に設けられる部材固定具５は、例えば、上記出隅箇所に設けられた部材固定具５と同じものであり、上記部材固定用アンカーボルト５２の取り付け箇所が異なるだけである。また、この入隅箇所に設けられる壁パネル固定具６Ａは、略Ｍ字状のベース板６１と、このベース板６１に溶接等により固定された横断面略Ｍ字状の立ち上げ部６２ととから成る。上記ベース板６１の各端には、上記部材固定用アンカーボルト５２の上端部が挿通される挿通孔６１ａが形成されている。上記壁パネル固定具６Ａが上記部材固定用アンカーボルト５２に固定されることで、建物の入隅箇所においても、外壁パネル７１を規定位置に正確に固定していくことができる。
【００２９】
上記の構成であれば、上記部材固定具５は、上記位置決め部５１ａによって上記角形柱脚部３１を基準に位置決めされ、また、上記増し打ち経時固化材４によって強固に固定される。そして、上記増し打ち経時固化材４の上面上に置かれる上記壁パネル固定具６、６Ａ（部材）を、上記のように正確且つ強固に設けられた上記部材固定具５によって正確且つ強固に固定できるようになる。
【００３０】
また、上記壁パネル固定具６で重量のある上記外壁パネル７１等を支持する場合でも、当該壁パネル固定具６は上記増し打ち経時固化材４の上面に置かれるので、上記部材固定具５自体に上記外壁パネル７１等の重量が直接加わることもない。
【００３１】
上記部材固定具５が上記アンカーボルト２１に係合される係合部（挿通孔５１ｂ）を有していると、上記増し打ち経時固化材４の打設によって上記部材固定具５の位置がずれるのを防止できる。
【００３２】
上記部材固定具５が、上記板部材５１および上記部材固定用アンカーボルト５２を備えると、この部材固定用アンカーボルト５２によって上記壁パネル固定具６、６Ａが固定される構造が得られる。
【００３３】
上記板部材５１に上記部材固定用アンカーボルト５２を挿通できる挿通孔５１ｃが形成されていると、例えば、現場において、上記部材固定用アンカーボルト５２を上記挿通孔５１ｃに挿通し、当該部材固定用アンカーボルト５２と上記板部材５１との位置調整等を行うことができる。
【００３４】
上記板部材５１に上記挿通孔５１ｃが複数形成されており、建物の異なる箇所での上記部材固定用アンカーボルト５２の配置に対して上記板部材５１が共通して使用できる構造であると、部品の共通化によるコスト低減を図ることができる。
【００３５】
また、上記板部材５１に、貫通孔５１ｄが形成されていると、上記増し打ち経時固化材４の充填において、上記板部材５１の下面側に上記増し打ち経時固化材４の空洞部ができるのを低減することができる。また、上記増し打ち経時固化材４の充填を上記貫通孔５１ｄから行うといったことも可能になる。
【００３６】
上記の実施形態では、１枚の板部材５１を用いたが、同一形状または異なる形状の２枚以上の板部材５１が上下に間隔をあけて設けられてもよい。これによれば、上記部材固定具５をより強固に上記増し打ち経時固化材４に固定できる。このような２枚以上の板部材５１を用いる構造は、上記増し打ち経時固化材４が充填される上記の落ち込んだ箇所の落ち込みの深さが深く、上記増し打ち経時固化材４の打ち込み厚さを厚くする場合に好適である。
【００３７】
なお、上記部材固定具５として、上記板部材５１および上記部材固定用アンカーボルト５２を備える構成を例示したが、これに限定されるものではなく、例えば、上記板部材５１に代えてブロック体を用い、例えば、このブロック体に上記部材固定用アンカーボルト５２を挿通し固定する構造とし、また、上記ブロック体の上面を上記増し打ち経時固化材４から露呈させ、このブロック体の上面で部材（壁パネル固定具等）を支持するようにしてもよい。
【００３８】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３９】
１      ：部材支持構造
２      ：基礎
３      ：角柱
４      ：打ち経時固化材
５      ：部材固定具
６      ：壁パネル固定具（部材）
６Ａ    ：壁パネル固定具（部材）
２１    ：アンカーボルト
３１    ：角形柱脚部
３１ａ  ：ベース部
５１    ：板部材
５１ａ  ：位置決め部
５１ｂ  ：挿通孔
５１ｃ  ：挿通孔
５１ｄ  ：空気抜き孔
５２    ：部材固定用アンカーボルト
７１    ：外壁パネル
７２    ：コーナーパネル
【図１】
0006762749.tif 000002
【図２】
0006762749.tif 000003
【図３】
0006762749.tif 000004
【図４】
0006762749.tif 000005
【図５】
0006762749.tif 000006